(57)【要約】【課題】最終的な出力物イメージをより直感的にユーザに提示することが可能な画像処理装置及びその制御方法を提供する。【解決手段】画像データを記憶する記憶手段と、記憶手段に記憶された画像データが印刷される印刷媒体の種類を設定する設定手段と、記憶手段に記憶された画像データの印刷結果を印刷媒体とともに表示する表示手段と、表示手段によって表示される印刷媒体を、設定手段によって設定された印刷媒体の種類に対応する撓み方で表示するように制御する制御手段と、を備える。【選択図】図２
2011140135.tif 000002
【特許請求の範囲】
【請求項１】
画像データを記憶する記憶手段と、
前記記憶手段に記憶された画像データが印刷される印刷媒体の種類を設定する設定手段と、
前記記憶手段に記憶された画像データの印刷結果を印刷媒体とともに表示する表示手段と、
前記表示手段によって表示される印刷媒体を、前記設定手段によって設定された印刷媒体の種類に対応する撓み方で表示するように制御する制御手段と、
を備えることを特徴とする画像処理装置。
【請求項２】
前記設定手段によって設定された印刷媒体の種類から、当該印刷媒体の厚さに関する情報を特定する特定手段を更に備え、
前記制御手段は、前記特定手段によって特定された前記厚さに関する情報に従った撓み方で表示するように制御することを特徴とする請求項１に記載の画像処理装置。
【請求項３】
前記記憶手段に記憶された画像データが印刷される印刷媒体に対する透明トナーの載り量を検知する検知手段を更に備え、
前記制御手段は、前記検知手段によって検知された透明トナーの載り量に従って、前記印刷媒体が光を反射する態様で表示するように制御することを特徴とする請求項１又は２に記載の画像処理装置。
【請求項４】
前記検知手段は、前記記憶手段に記憶された画像データが印刷される印刷媒体に対する透明トナーの載り量と、前記記憶手段に記憶された画像データが印刷される印刷媒体に対する有色トナーの量を検知し、
前記制御手段は、前記検知手段によって検知された透明トナーの載り量及び前記有色トナーの量に従って、前記印刷媒体が光を反射する態様で表示するように制御することを特徴とする請求項３に記載の画像処理装置。
【請求項５】
記憶部に記憶された画像データが印刷される印刷媒体の種類を設定する設定工程と、
前記記憶部に記憶された画像データの印刷結果を印刷媒体とともに表示部に表示させる表示工程と、
前記表示工程で表示される印刷媒体を、前記設定工程で設定された印刷媒体の種類に対応する撓み方で表示するように制御する制御工程と、
を備えることを特徴とする画像処理装置の制御方法。
【請求項６】
請求項５に記載の画像処理装置の制御方法の各工程をコンピュータに実行させるためのプログラム。
【発明の詳細な説明】
【技術分野】
【０００１】
本発明は、プレビュー画像を表示する画像処理装置及びその制御方法に関する。
【背景技術】
【０００２】
複合機等の画像形成装置では、どのような画像が出力されるかを予め確認するためのプレビュー画像をディスプレイ等の表示装置に表示する。ユーザは、表示されたプレビュー画像に従って、出力画像の配置や色味、文字の鮮明さ等を確認し、問題がある場合には設定変更を行う。これにより、ミスプリント等の失敗の発生を低減することができる。
【０００３】
ここで、ユーザがプレビュー画像を参照して出力画像を事前確認したいと考えるシチュエーションとしては、例えば、次のような場合が想定できる。
【０００４】
（１）外部装置（ＵＳＢメモリやカメラダイレクト等）のデータを印刷する場合
（２）操作デバイスの二次記憶装置（ＨＤＤ等）に保存されたデータを印刷する場合
（３）スキャナで読み込んだデータを他の機器へ転送したり印刷したりする場合
（４）スキャナで読み込んだデータを二次記憶装置や外部メモリに保存する場合
（５）ＰＣから予め送信された秘匿データを印刷する場合
（６）上記の各場面でプレビュー画像を参照した後に、設定を変更して印刷する場合
従来の画像形成装置には、例えば、用紙枚数やトナー残量等を示すプレビュー画像では表現できない情報を、文字やアイコンで表現してプレビュー画像と共に表示するものがある（例えば特許文献１参照）。これにより、プリント途中でのトナー切れや用紙切れの発生を予め検知して、ユーザに報知することによりトナー切れや用紙切れの発生を抑制することに寄与している。
【先行技術文献】
【特許文献】
【０００５】
【特許文献１】特開２００１−１１３８０３号公報
【発明の概要】
【発明が解決しようとする課題】
【０００６】
上記従来技術によれば、プレビュー画像とプレビュー画像では表現できない情報（以下、単に「非プレビュー画像情報」と呼ぶ）とを同時に表示装置に表示する。ユーザは、表示されたプレビュー画像を見て、種々の観点の確認を行う。例えば、ユーザは、プレビュー画像を拡大表示することにより文字の鮮明さや色味等の確認を行い、また、縮小表示することにより、出力画像の配置やステイプルの位置や製本等の仕上がりの確認を行う。
【０００７】
しかしながら、上記従来技術では、どのような画像が出力されるかを表示するだけである。例えば、特許文献１では、文字で「非プレビュー画像情報」をユーザに報知しているが、印刷する用紙や使用するトナーの種類によって見え方が異なる場合や、製本した場合のめくり感といった質感を、直感的に表現することができない。このため、ユーザが確認しようとしている観点に、必ずしも即した情報を提示することができなかった。また、用紙の種類によって、どれくらいの束（厚さ）になるか、複数の排紙トレイに跨って出力されるか、又はフィニッシング指定を実行した最終出力物がどのような結果になるか等を、直感的にユーザに提示することができなかった。すなわち、ユーザが指定した通りの結果が得られるか否かを、直感的にユーザに提示することができなかった。
【０００８】
本発明は、上記課題に鑑みてなされたものであって、最終的な出力物イメージをより直感的にユーザに提示することが可能な画像処理装置及びその制御方法を提供するものである。
【課題を解決するための手段】
【０００９】
上記課題を解決するため、本発明に係る画像処理装置は、画像データを記憶する記憶手段と、前記記憶手段に記憶された画像データが印刷される印刷媒体の種類を設定する設定手段と、前記記憶手段に記憶された画像データの印刷結果を印刷媒体とともに表示する表示手段と、前記表示手段によって表示される印刷媒体を、前記設定手段によって設定された印刷媒体の種類に対応する撓み方で表示するように制御する制御手段と、を備える。
【発明の効果】
【００１０】
本発明によれば、最終的な出力物イメージをより直感的にユーザに提示することが可能な画像処理装置及びその制御方法を提供することができる。
【図面の簡単な説明】
【００１１】
【図１】本発明の実施例１に係る画像処理装置を含む画像形成装置の構成を示す図である。
【図２】画像処理装置の全体的な処理手順を示す図である。
【図３】用紙の厚さを表現するページプレビュー画面の一例を示す図である。
【図４】用紙の光沢感を表現するページプレビュー画面の一例及び透明トナー使用時の用紙の光沢感を表現するページプレビュー画面の一例を示す図である。
【図５】ページプレビュー画像生成のための判断情報を示す図である。
【図６】ページプレビュー画像変換パラメータを示す図である。
【図７】全体プレビュー画像変換パラメータを示す図である。
【図８】全体プレビュー画面の一例を示す図である。
【図９】用紙の厚さを表現するページプレビュー画面の一例を示す図である。
【図１０】実施例２における用紙の厚さを表現するページプレビュー画面の一例を示す図である。
【発明を実施するための形態】
【００１２】
以下、図面を参照して本発明の実施形態を詳細に説明する。なお、以下の実施形態は特許請求の範囲を限定するものでなく、また、実施形態で説明される特徴の組み合わせの全てが発明の解決手段に必須のものとは限らない。
【００１３】
＜実施例１＞
［画像形成装置の構成（図１）］
画像形成装置１は、画像処理装置１２と、画像処理装置１２が生成した画像データに従って画像を印刷して出力する印刷装置１１と、印刷装置１１が出力した用紙に、ステイプル処理や折り処理といった仕上げ処理を実行する仕上げ装置１３とを備える。なお、印刷装置１１及び仕上げ装置１３は、公知の装置を用いるものとし、以下では本発明に係る画像処理装置１２について詳細に説明する。
【００１４】
画像処理装置１２は、ＣＰＵ１２１、直接記憶部１２２、間接記憶部１２３、ユーザインターフェース１２４及び外部インターフェース１２５を備える。
【００１５】
ＣＰＵ１２１は、間接記憶部１２３に記憶された制御プログラムを直接記憶部１２２に移動する（記憶させる）ことができる。制御プログラムの移動が完了すると、ＣＰＵ１２１が制御プログラムを実行可能な状態になる。
【００１６】
直接記憶部１２２は、ＣＰＵ１２１と直接的にデータをやり取りする記憶部（例えば、ＲＡＭ）である。直接記憶部１２２は、ＣＰＵ１２１が制御プログラムを実行した際等に得られる情報を一時的に記憶する。当該情報には、プレビュー画像が含まれる。
【００１７】
一方、間接記憶部１２３は、直接記憶部１２２を介してＣＰＵ１２１とデータをやり取りする記憶部（例えば、ＨＤＤ）である。間接記憶部１２３は、例えば、画像形成装置１を制御するための制御プログラムを記憶している。
【００１８】
ユーザインターフェース１２４は、種々のデータをディスプレイに表示可能な表示部として機能し、また、表示されたデータに基づくユーザによる入力操作を受け付ける入力部として機能する。入力操作としては、例えば、ユーザによるプレビュー表示指示や表示ページの変更等が挙げられる。ユーザインターフェース１２４は、種々の画像を表示すると共にユーザによる操作を受け付けるタッチパネル（受付手段）と、音声を出力可能なスピーカ等の音声出力手段とを含む。タッチパネル及び音声出力手段は、種々の情報をユーザに提示する提示手段として機能する。この場合、表示ページの変更を行う入力操作としては、例えば、ユーザが左右へ指を滑らす操作（ジェスチャ操作）が挙げられる。なお、タッチパネルは、その代替として、マウスやキーボード等の入力手段、モニタ等の表示手段の双方を備えるものであっても構わない。
【００１９】
外部インターフェース１２５は、外部装置からデータを受信可能であり、また、外部装置へデータを送信可能である。外部装置には、例えば、外付けＨＤＤや外付けＵＳＢメモリ等の外付け記憶装置と、ネットワークを介して接続された別体のホストコンピュータや画像形成装置とが含まれる。
【００２０】
ＧＰＵ１２６（Ｇｒａｐｈｉｃｓ  Ｐｒｏｃｅｓｓｉｎｇ  Ｕｎｉｔ）は、グラフィクス処理をＣＰＵ１２１の代わりに処理するプロセッサである。ＧＰＵ１２６は、表示データの拡大や縮小、変形を高速に実行可能である。
【００２１】
なお、本実施例では、画像処理装置１２、印刷装置１１及び仕上げ装置１３のそれぞれが実行する画像処理、印刷処理及び仕上げ処理を「ジョブ」と呼ぶ。
【００２２】
また、本実施例では、コントローラ２０は、ＣＰＵ１２１と、制御プログラムを記憶するための、直接記憶部１２２の一部の領域とを含む。また、コントローラ２０は、ＣＰＵ１２１が上記制御プログラムを処理した際に得られる情報を記憶するための、直接記憶部１２２及び間接記憶部１２３の一部の領域と、ＧＰＵ１２６とを含む。
【００２３】
［画像処理装置の全体的な処理手順（図２）］
まず、コントローラ２０は、ユーザインターフェース１２４から、ユーザによるプレビュー表示ジョブを受け付けた旨の通知を受け取ったか否かを判定する（Ｓ１）。当該ジョブを受け取っていない場合には、受け取るまで待機する。一方、当該ジョブを受け取った場合には、コントローラ２０は、ページプレビュー画像を生成するための情報を取得する（Ｓ２）。
【００２４】
具体的には、コントローラ２０は、制御プログラム又は間接記憶部１２３内に保持されている用紙情報及びトナー情報（現像剤情報）を取得し、また、受け付けたプレビュー表示ジョブの属性情報（又はパネル設定）として保持されているジョブ情報を取得する。そして、取得した情報を、例えば、図５のデータテーブルの形式で直接記憶部１２２に一時的に記憶する。用紙情報は、１枚当たりの紙の厚さ及び紙の光沢感に関する情報である。トナー情報は、透明トナーの載り量及び非透明トナー（ＹＭＣＫ等）の載り量に関する情報である。ジョブ情報は、印刷枚数及びフィニッシング指定に関する情報である。
【００２５】
そして、コントローラ２０（第１の生成手段）は、画像処理装置１２が読み取った画像、又は外部インターフェース１２５が外部装置から受信した画像に基づいて、二次元のプレビュー基本画像（画像処理データ）を生成する（Ｓ３）。
【００２６】
画像処理装置１が扱う画像は、通常、ユーザインターフェース１２４におけるディスプレイ等の表示装置に比べて相当に高い解像度を有するため、コントローラ２０は、表示装置の表示能力に応じた最適な解像度でプレビュー基本画像を生成する。
【００２７】
そして、コントローラ２０は、出力される印刷メディア（印刷媒体）の種類によって異なる、ページをめくるときの音声パターンを決定する（Ｓ４）。例えば、印刷メディアが、普通紙であるときは「パラ」という操作音、光沢紙であるときは「パリ」という操作音をページをめくるときの音声パターンとして決定する。これは、光沢紙が、用紙同士が貼り付く特性があるため、その特性を音声で表現することにより、使用する用紙の特性をよりリアルに表現するためのものである。
【００２８】
次に、コントローラ２０（第２の生成手段）は、三次元のページプレビュー画像（立体画像）を生成する（Ｓ５）。コントローラ２０は、ページプレビュー画像に予め記憶された映り込み画像を光沢度に応じて濃さを変えて合成する処理を行う。なお、三次元のページプレビュー画像生成処理の詳細については、図６を用いて後述する。
【００２９】
そして、コントローラ２０（第２の生成手段）は、後述の仕上げパターンやユーザにより指定されたプレビュー表示の拡大率／縮小率に応じた表示データを生成して、ユーザインタフェース１２４へ生成した表示データを送信する（Ｓ６）。なお、表示データ生成処理の詳細については、図７を用いて後述する。
【００３０】
データを受け取ったユーザインタフェース１２４は、画面上に受け取った表示データに従った印刷結果の表示を行う（Ｓ７）。ユーザインターフェース１２４は、コントローラ２０が決定した音声パターンを表示データと共に、コントローラ２０から受信するものとする。ここで、コントローラ２０から複数の画像を受け取った場合には、ユーザインタフェース１２４は、表示を切り替え、図３及び４のような撓み量や反射率を表現する。
【００３１】
例えば、図９の９ａは普通紙ページをめくる際の全体プレビュー画像、９ｂは光沢厚紙ページをめくる際の全体プレビュー画像を示している。９ａは普通紙であるため、用紙の撓み具合が大きいが、９ｂは厚紙であるため、用紙の撓み具合は小さい。また、Ｓ４で決定した音声パターンに応じて、９ａの普通紙ページをめくる操作音を「パラ」と表現するのに対して、９ｂの光沢厚紙ページをめくる場合には、用紙同士が貼り付いているため、剥がすときの操作音を「パリ」と表現している。
【００３２】
そして、ユーザインタフェース１２４は、Ｓ７で表示した画面を参照してユーザによりめくり操作があったか否かを判定する（Ｓ８）。めくり操作があった場合には、ユーザインタフェース１２４は、コントローラ２０がＳ４で決定した音声パターンをスピーカから出力し（Ｓ９）、めくり操作があった旨をコントローラ２０に通知する。
【００３３】
そして、コントローラ２０は、めくり操作に合わせたページへ切り替えて（Ｓ１０）、Ｓ５に戻って処理を繰り返す。一方、めくり操作がない場合には、ユーザインタフェース１２４は、プレビュー終了指示があったか否かを判定する（Ｓ１１）。プレビュー終了指示がない場合には、ユーザインタフェース１２４は、Ｓ８に戻って処理を繰り返す。一方、プレビュー終了指示があった場合には、一連の処理を終了する。
【００３４】
［三次元のページプレビュー画像生成処理（Ｓ５）の詳細（図６）］
まず、コントローラ２０は、コントローラ２０は、Ｓ２で取得した用紙情報及びトナー情報（設定情報）と、図６で示すデータテーブルとに基づいて、種々の画像変換パラメータを決定する。このデータテーブルは、Ｓ３で生成した二次元のプレビュー基本画像から三次元のプレビュー画像を生成する場合に、既存の三次元変換モジュールへ設定するパラメータを決定するためのテーブルである。
【００３５】
具体的には、コントローラ２０（ＣＰＵ）は、用紙情報に含まれる紙の厚さ及び当該テーブルに基づいて、紙の撓み角度を決定する。つまり、コントローラ２０は、紙の厚さが複数段階（ここでは、５段階）の範囲のいずれに該当するかをテーブルを参照して判定し、該当した厚さ範囲に対応する撓み角度を決定する。
【００３６】
例えば、図３は、用紙を撓ませたプレビュー画像を表現しており、３ａ、３ｂは、普通紙を用いた場合の用紙の撓み角度、３ｃ、３ｄは、普通紙よりも厚い厚紙を用いた場合の用紙の撓み角度を表現している。３ｃ、３ｄの厚紙は、３ａ、３ｂの普通紙に比べて厚いため、撓み角度を普通紙よりも小さく表現している。すなわち、コントローラ２０は、用紙の厚さが大きいほど、プレビュー画像における用紙の撓み角度を小さく設定する。また、コントローラ２０は、３ａ及び３ｂ、又は３ｃ及び３ｄの２つの画像を繰り返し切り替えて表示することで、用紙上に印刷される画像だけでなく、用紙の撓み角度により用紙の厚さ（硬さ）を同時に表現する。
【００３７】
また、三次元のページプレビュー画像には、本実施例では、用紙が撓む態様だけでなく、光を反射する態様を表現する。このため、反射率を規定するための次のようなパラメータについても具体的な数値を決定する必要がある。
【００３８】
コントローラ２０は、用紙情報に含まれる紙の光沢感及び当該テーブルに基づいて、紙の光沢度を決定する。つまり、コントローラ２０は、紙の光沢感が複数段階（ここでは、４段階）の範囲のいずれに該当するかをテーブルを参照して判定し、該当した光沢感範囲に対応する紙の光沢度を決定する。
【００３９】
例えば、用紙の光沢感を表現するために、図４の４ａ、４ｂで示すように、用紙を撓ませたプレビュー画像に光の反射画像を重ねる。すなわち、用紙の光沢感が大きいほど、用紙への映り込みがはっきり見えるように画像を重ねる。本実施例では、反射する部分を白く表示することにより光の映り込みを表現している。そして、光の反射位置が変化するように３ａ、３ｂの２つの画像を周期的に切り替えて表示する。
【００４０】
なお、図３及び図４における画像の切り替えは、２つの画像を切り替える例を示したが、用紙の厚さ又は光沢感をよりリアルに表現するために、３つ以上の画像を切り替えるようにしてもよい。これは、撓み量又は光沢感が大きい場合には、その分だけ２つの画像の間の撓み又は光沢感の変化量が大きくなるため、一定の撓み量又は光沢感毎に切り替える画像数を増加させることにより、リアルさを向上するものである。一方、切り替える画像数が多いと、その分だけコントローラ２０又はユーザインターフェース１２４の処理負荷を増大させてしまうため、コントローラ２０の処理負荷に余裕がある場合にのみ、切り替えるようにしてもよい。また、切り替え周期は、コントローラ２０の処理負荷に応じて変更するようにしてもよい。例えば、処理負荷に余裕が無い場合には、切り替え周期を長く設定するようにしてもよい。これにより、切り替え回数を最小限に抑制しながら、リアルさの向上を図ることが可能となる。
【００４１】
しかし、画像の映り込みは、用紙自体の光沢具合だけでなく、用紙上に載るトナーの種類や量にも左右される。このため、コントローラ２０は、トナー情報に含まれるトナー載り量を検知し、当該テーブルに基づいて、トナーの光沢度を決定する。つまり、コントローラ２０は、いずれの現像種が含まれているかを判定し、該当する現像種に対応するトナーの光沢度を決定する。透明トナーは、光の反射を利用して、特定の角度から画像を浮き上がらせるものであり、他のトナー（ＹＭＣＫ）よりも映り込みが大きいため、最も大きな光沢度が設定されている。
【００４２】
また、透明トナーの載り量が大きいほど映り込みは大きくなる。このため、コントローラ２０は、トナー情報に含まれる透明トナー載り量及び当該テーブルに基づいて、透明トナーの光沢係数を決定する。すなわち、コントローラ２０は、透明トナーの載り量が大きいほど、透明トナーの光沢係数を大きく設定する。つまり、コントローラ２０は、透明トナー載り量が複数段階（ここでは、６段階）の範囲のいずれに該当するかをテーブルを参照して判定し、該当する透明トナー載り量に対応する透明トナーの光沢係数を決定する。
【００４３】
なお、図４の４ｃ、４ｄで示すように、コントローラ２０は、透明トナーが定着される部分を破線で囲むことにより、当該部分をプレビュー画像で確認できるようにしてもよい。この部分は、普通紙への印刷であっても、光沢感が出て反射が強くなるため、特定の角度で反射が発生する態様をプレビュー画像で確認できるようにする。
【００４４】
また、コントローラ２０は、トナー情報に含まれる非透明トナー（有色トナー）載り量及び当該テーブルに基づいて、非透明トナー（ＹＭＣＫ）の光沢係数を決定する。つまり、コントローラ２０は、非透明トナー載り量が複数段階（ここでは、６段階）の範囲のいずれに該当するかをテーブルを参照して判定し、該当する非透明トナー載り量に対応する非透明トナーの光沢係数を決定する。
【００４５】
最終的に、コントローラ２０は、紙の光沢度にトナーの光沢度と、透明トナー又は非透明トナーの光沢係数とを乗じることにより印刷物の光沢度を算出する。すなわち、透明トナー又は非透明トナーの光沢係数が大きいほど画像の映り込みが大きくなる。例えば、透明トナー又は非透明トナーの光沢係数が１の場合がプレビュー画像と映り込み画像の濃さが同じであり、１を超えると映り込み画像の方が濃くなる。
【００４６】
［全体プレビュー画像生成処理（Ｓ６）の詳細（図７）］
まず、コントローラ２０は、印刷物の厚さを直感的に認識可能に表示するため、ジョブ情報に含まれる印刷枚数に、用紙情報に含まれる紙の厚さを乗じることにより出力物全体の厚さを算出する。
【００４７】
また、コントローラ２０は、Ｓ２で取得したジョブ情報に含まれるフィニッシング指定に基づいて、６種類の仕上げパターンのいずれを表示するかを決定する。フィニッシング指定とは、例えば、指定なし、シフト、くるみ製本、中綴じ製本、パンチ、ステイプル等の仕上げ処理の中からいずれの処理を行うかを示すユーザによる指定情報である。
【００４８】
このようにして決定された出力物画像が、例えば、図８に示される。８ａはフィニッシング指定なし（パターン１）の例、８ｂはくるみ製本指定（パターン３）の例、８ｃは中綴じ製本（パターン４）の例、８ｄはステイプル指定（パターン６）の例を表す。このように、コントローラ２０は、ジョブの指定により全体プレビューに仕上げパターンを反映することにより、よりリアルなプレビュー画像を生成する。
【００４９】
以上述べた通り、本実施例によれば、印刷画像だけでなく、印刷用紙の質感や厚さ、さらにはトナーやインク（現像剤）の種類に応じた質感を直感的にユーザに伝えることができる。それにより、単純な二次元表示や文字では表現が難しい質感情報を、よりリアルにユーザに伝えることが可能となる。
【００５０】
また、プレビュー画像と共に質感を表す情報を音声で伝えることにより、メディアの質感を視覚だけでなく聴覚でも伝えることができるため、最終出力物の情報をより直感的にユーザに伝えることが可能となる。
【００５１】
また、プレビュー画像をめくる等の操作時に、メディアの種類に応じて操作性を変更することにより、メディアの質感を擬似的に把握することができるため、最終出力物の情報をより直感的にユーザに伝えることが可能となる。
【００５２】
なお、印刷装置１１が最終出力物を排出する排出トレイを複数備える場合には、次のように制御しても良い。具体的には、複数の排出トレイの積載可能数に基づいて、１つの排出トレイに排出されるか、複数の排出トレイに跨って排出されるかを判定し、その判定結果を３次元のプレビュー画像で予め確認できるように表示を行ってもよい。
【００５３】
＜実施例２＞
上記実施例１では、コントローラ２０は、ページをめくる際の用紙の撓み角度を、種々の条件に応じて変更する例を示したが、表示だけでなく、本実施例２のようにユーザによる操作感を変更してもよい。
【００５４】
本実施例では、フィニッシング指定に「くるみ製本」又は「中綴じ製本」が設定されている場合を想定して、図１０を用いて説明する。１０ａは、普通紙に印刷された本をめくる態様を示しており、この場合には、普通紙が比較的柔らかくめくりやすいことから、画面を滑らすめくり操作は比較的短い距離を滑らせればページをめくることが可能である。また、１０ｂは、厚紙光沢紙に印刷された本をめくる態様を示しており、この場合には、厚紙光沢紙が比較的硬くめくりにくいことから、画面を滑らすめくり操作は比較的長い距離を滑らせないとページをめくることができない。このように、表示内容だけでなく、操作感もメディアの種類に応じて変更することで、より直感的に質感を表現することが可能となる。
【００５５】
＜他の実施形態＞
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５６】
１１  印刷装置
２０  コントローラ
【図１】
2011140135.tif 000003
【図２】
2011140135.tif 000004
【図３】
2011140135.tif 000005
【図５】
2011140135.tif 000006
【図６】
2011140135.tif 000007
【図７】
2011140135.tif 000008
【図８】
2011140135.tif 000009
【図９】
2011140135.tif 000010
【図１０】
2011140135.tif 000011
【図４】
2011140135.tif 000012